(57)【要約】      （修正有）【課題】棚部材に陳列された商品が見にくいという問題を克服したオープン型のショーケースを提供すること。【解決手段】底部側に設けられた基台１と、基台の後方側に設けられた壁部材２と、壁部材から基台の上部側の領域に突設された少なくとも１段の棚部材１１と、を備えたオープン型のショーケースにおいて、棚部材の内部に、壁部材側に開口１３ａを有する冷気通流ダクト１３，１４が形成されており、壁部材には、棚部材の冷気通流ダクトの開口に対応した開口部２ａが設けられており、基台の内部に冷却器４とファン３とが収容されており、基台の前方側には、基台の上部側の領域から基台の内部へと冷気を通流させる前面側通流口１ａが設けられており、壁部材の後方側には、基台の内部と壁部材の開口部とを連通させる棚部冷気供給ダクト１５，１６が設けられている。【選択図】図１
2017012399.tif 000002
【特許請求の範囲】
【請求項１】
底部側に設けられた基台と、前記基台の後方側に設けられた壁部材と、前記壁部材から前記基台の上部側の領域に突設された少なくとも１段の棚部材と、を備えたオープン型のショーケースにおいて、
前記棚部材の内部に、前記壁部材側に開口を有する冷気通流ダクトが形成されており、
前記壁部材には、前記棚部材の前記冷気通流ダクトの前記開口に対応した開口部が設けられており、
前記基台の内部に冷却器とファンとが収容されており、
前記基台の前方側には、前記基台の上部側の領域から前記基台の内部へと冷気を通流させる前面側通流口が設けられており、
前記壁部材の後方側には、前記基台の内部と前記壁部材の前記開口部とを連通させる棚部冷気供給ダクトが設けられている
ことを特徴とするオープン型のショーケース。
【請求項２】
底部側に設けられた基台と、前記基台の後方側に設けられた壁部材と、前記壁部材から前記基台の上部側の領域に突設された複数段の棚部材と、を備えたオープン型のショーケースにおいて、
前記複数段の棚部材の各々の内部に、前記壁部材側に開口を有する冷気通流ダクトが形成されており、
前記壁部材には、前記複数段の棚部材の各々の前記冷気通流ダクトの前記開口に対応して複数段の開口部が設けられており、
前記基台の内部に冷却器とファンとが収容されており、
前記基台の前方側には、前記基台の上部側の領域から前記基台の内部へと冷気を通流させる前面側通流口が設けられており、
前記壁部材の後方側には、前記基台の内部と前記壁部材の前記複数段の開口部の各々とを連通させる複数の棚部冷気供給ダクトが設けられている
ことを特徴とするオープン型のショーケース。
【請求項３】
前記複数の棚部冷気供給ダクトは、互いに分離されている
ことを特徴とする請求項２に記載のオープン型のショーケース。
【請求項４】
前記棚部材の前記冷気通流ダクトは、当該棚部材の下面側に冷気放出部を有しており、
前記冷気放出部には、冷気を斜め下方へと案内するガイドフィンが設けられている
ことを特徴とする請求項３に記載のオープン型のショーケース。
【請求項５】
前記棚部材の前記冷気放出部よりも前方側の下面に、照明装置が設けられている
ことを特徴とする請求項４に記載のオープン型のショーケース。
【請求項６】
前記冷気通流ダクトの下面に、照明装置が設けられている
ことを特徴とする請求項４に記載のオープン型のショーケース。
【請求項７】
前記壁部材の上部に、前記基台の上部側の領域に冷気を吹き出すための冷気吹出開口が設けられており、
前記壁部材の後方側には、前記基台の内部と前記壁部材の前記冷気吹出開口とを連通させる吹出冷気供給ダクトが設けられている
ことを特徴とする請求項１乃至６のいずれかに記載のオープン型のショーケース。
【請求項８】
前記冷気吹出開口は、鉛直方向に複数段に設けられた水平方向に延びる水平開口からなっており、
前記吹出冷気供給ダクトは、前記基台の内部側の一体部と、当該一体部と前記複数段の水平開口とをそれぞれ連通させる複数の分配部と、を有している
ことを特徴とする請求項７に記載のオープン型のショーケース。
【請求項９】
オープン型のショーケースに用いられる棚部材であって、
当該棚部材の内部に、後方側に開口を有すると共に下面側に冷気放出部を有する冷気通流ダクトが形成されている
ことを特徴とする棚部材。
【請求項１０】
前記冷気通流ダクトの前記冷気放出部には、冷気を斜め下方へと案内するガイドフィンが設けられている
ことを特徴とする請求項９に記載の棚部材。
【請求項１１】
前記冷気放出部よりも前方側の下面に、照明装置が設けられている
ことを特徴とする請求項９または１０に記載の棚部材。
【請求項１２】
前記冷気通流ダクトの下面に、照明装置が設けられている
ことを特徴とする請求項９または１０に記載の棚部材。
【発明の詳細な説明】
【技術分野】
【０００１】
本発明は、底部側に設けられた基台と、前記基台の後方側に設けられた壁部材と、前記壁部材から前記基台の上部側の領域に突設された少なくとも１段の棚部材と、を備えたオープン型のショーケースに関している。
【背景技術】
【０００２】
冷気循環が行われるショーケースにおいては、一般に、冷却用ファンから送風される空気が冷却器に送られる。本件出願人による特許文献１（特許第３４５７６４８号公報）には、基台内に設けられた冷却器室に冷却用ファンと冷却器とが設けられたショーケースにおいて、冷却器を取り外すことなく容易に冷却器下部を清掃可能なショーケースの清掃装置が開示されている。
【先行技術文献】
【特許文献】
【０００３】
【特許文献１】特許第３４５７６４８号公報
【発明の概要】
【発明が解決しようとする課題】
【０００４】
従来の典型的なオープン型のショーケースを、図６に示す。図６に示すショーケースは、底部側に設けられた基台１０１と、基台１０１の後方側に設けられた壁部材１０２と、壁部材１０２から基台１０１の上部側の領域に突設された２段の棚部材１１１、１１２と、を備えたオープン型のショーケースである。
【０００５】
基台１０１の前方側には、基台１０１の上部側の領域から基台１０１の内部へと冷気を通流させる前面側通流口１０１ａが設けられている。そして、基台１０１の内部から壁部材１０２の後方を介して天板１０６と上部照明取付板１０７との間の空間までが、冷気供給ダクトを形成している。基台１０１の内部にファン１０３が収容されており、壁部材１０２の後方に冷却器１０４が設置されており、天板１０６と上部照明取付板１０７との間の空間の前方端に、ハニカムと呼ばれる整流機構１０８が設置されている。天板１０６は、断熱効果を高めるべく、主として断熱材からなり、上面のみがステンレス材で構成されている。
【０００６】
ファン１０３の作用によって前面側通流口１０１ａから基台１０１内に取り込まれた空気は、壁部材１０２の後方を通過する際に冷却器１０４によって冷却されて冷気となり、天板１０６と上部照明取付板１０７との間の空間を通過して整流機構１０８から吹き出される。当該冷気は、エアーカーテンとなって、外気がショーケース内に混入することを効果的に抑制し、その多くが再び前面側通流口１０１ａから基台１０１内に取り込まれる（循環する）。
【０００７】
ここで、図６に示すショーケースでは、天板１０６と上部照明取付板１０７との間の空間が冷気供給ダクトの一部を構成しているため、上段の棚部材１１１上に陳列された商品が見にくいという問題がある。
【０００８】
本発明は、上記問題に着目してなされたもので、その目的とするところは、棚部材に陳列された商品が見にくいという問題を克服したオープン型のショーケースを提供することである。
【課題を解決するための手段】
【０００９】
本発明は、底部側に設けられた基台と、前記基台の後方側に設けられた壁部材と、前記壁部材から前記基台の上部側の領域に突設された少なくとも１段の棚部材と、を備えたオープン型のショーケースにおいて、前記棚部材の内部に、前記壁部材側に開口を有する冷気通流ダクトが形成されており、前記壁部材には、前記棚部材の前記冷気通流ダクトの前記開口に対応した開口部が設けられており、前記基台の内部に冷却器とファンとが収容されており、前記基台の前方側には、前記基台の上部側の領域から前記基台の内部へと冷気を通流させる前面側通流口が設けられており、前記壁部材の後方側には、前記基台の内部と前記壁部材の前記開口部とを連通させる棚部冷気供給ダクトが設けられていることを特徴とするオープン型のショーケースである。
【００１０】
本発明によれば、棚部材の内部に設けられた冷気通流ダクトを介して冷気が基台の上部側の領域に供給される。そして、そのような冷気がエアーカーテンとして機能することにより、例えば壁部材の上部に冷気吹出開口を設けておくだけで、ショーケース全体において外気がショーケース内に混入することを抑制するのに十分なエアーカーテンを提供することができる。
【００１１】
あるいは、本発明は、底部側に設けられた基台と、前記基台の後方側に設けられた壁部材と、前記壁部材から前記基台の上部側の領域に突設された複数段の棚部材と、を備えたオープン型のショーケースにおいて、前記複数段の棚部材の各々の内部に、前記壁部材側に開口を有する冷気通流ダクトが形成されており、前記壁部材には、前記複数段の棚部材の各々の前記冷気通流ダクトの前記開口に対応して複数段の開口部が設けられており、前記基台の内部に冷却器とファンとが収容されており、前記基台の前方側には、前記基台の上部側の領域から前記基台の内部へと冷気を通流させる前面側通流口が設けられており、前記壁部材の後方側には、前記基台の内部と前記壁部材の前記複数段の開口部の各々とを連通させる複数の棚部冷気供給ダクトが設けられていることを特徴とするオープン型のショーケースである。
【００１２】
本発明によれば、複数段の棚部材の各々の内部に設けられた冷気通流ダクトを介して冷気が基台の上部側の領域に供給される。そして、そのような冷気がエアーカーテンとして機能することにより、例えば壁部材の上部に冷気吹出開口を設けておくだけで、ショーケース全体において外気がショーケース内に混入することを抑制するのに十分なエアーカーテンを提供することができる。
【００１３】
前記複数の棚部冷気供給ダクトは、互いに分離されていることが好ましい。この場合、各棚部冷気供給ダクトの寸法等を調整することで、各冷気通流ダクトの冷気通流量を容易に制御することができる。
【００１４】
また、前記棚部材の前記冷気通流ダクトは、当該棚部材の下面側に冷気放出部を有しており、前記冷気放出部には、冷気を斜め下方へと案内するガイドフィンが設けられていることが好ましい。このようなガイドフィンによって、冷気を所望のエアーカーテンとして機能させることができる。
【００１５】
前記棚部材は、前記冷気放出部よりも前方側の下面に、照明装置が設けられていることが好ましい（図２及び図４参照）。あるいは、前記棚部材は、前記冷気通流ダクトの下面に、照明装置が設けられていることが好ましい（図５参照）。
【００１６】
また、前記壁部材の上部に、前記基台の上部側の領域に冷気を吹き出すための冷気吹出開口が設けられており、前記壁部材の後方側には、前記基台の内部と前記壁部材の前記冷気吹出開口とを連通させる吹出冷気供給ダクトが設けられていることが好ましい。この場合、ショーケース全体において、外気がショーケース内に混入することを抑制するのに十分なエアーカーテンを提供することができる。
【００１７】
例えば、前記冷気吹出開口は、鉛直方向に複数段に設けられた水平方向に延びる水平開口からなる。この場合、前記吹出冷気供給ダクトは、前記基台の内部側の一体部と、当該一体部と前記複数段の水平開口とをそれぞれ連通させる複数の分配部と、を有していることが好ましい。複数の分配部の各々の寸法等を調整することで、各水平開口からの冷気吹出量を容易に制御することができるからである。
【００１８】
また、本発明は、オープン型のショーケースに用いられる棚部材であって、当該棚部材の内部に、後方側に開口を有すると共に下面側に冷気放出部を有する冷気通流ダクトが形成されていることを特徴とする棚部材である。
【００１９】
本発明によれば、棚部材の内部に設けられた冷気通流ダクトを介して冷気が基台の上部側の領域に供給される。そして、そのような冷気がエアーカーテンとして機能することにより、例えば壁部材の上部に冷気吹出開口を設けておくだけで、ショーケース全体において外気がショーケース内に混入することを抑制するのに十分なエアーカーテンを提供することができる。
【００２０】
前記冷気通流ダクトの前記冷気放出部には、冷気を斜め下方へと案内するガイドフィンが設けられていることが好ましい。このようなガイドフィンによって、冷気を所望のエアーカーテンとして機能させることができる。
【００２１】
前記棚部材は、前記冷気放出部よりも前方側の下面に、照明装置が設けられていることが好ましい（図２及び図４参照）。あるいは、前記棚部材は、前記冷気通流ダクトの下面に、照明装置が設けられていることが好ましい（図５参照）。
【発明の効果】
【００２２】
本発明によれば、棚部材の内部に設けられた冷気通流ダクトを介して冷気が基台の上部側の領域に供給される。そして、そのような冷気がエアーカーテンとして機能することにより、例えば壁部材の上部に冷気吹出開口を設けておくだけで、ショーケース全体において外気がショーケース内に混入することを抑制するのに十分なエアーカーテンを提供することができる。
【図面の簡単な説明】
【００２３】
【図１】本発明の一実施の形態におけるオープン型のショーケースの縦断面図である。
【図２】図１のオープン型のショーケースの棚部材を示す縦断面図である。
【図３】図１のオープン型のショーケースの各部の寸法を示す図である。
【図４】棚部材の他の例を示す縦断面図である。
【図５】棚部材の更に他の例を示す縦断面図である。
【図６】従来のオープン型のショーケースの縦断面図である。
【発明を実施するための形態】
【００２４】
以下、図面を参照して本発明の実施の形態について説明する。  
図１は、本発明の一実施の形態におけるオープン型のショーケースの縦断面図であり、図２は、図１のオープン型のショーケースの棚部材を示す縦断面図である。
【００２５】
本実施の形態のオープン型のショーケースは、図１に示すように、底部側に設けられた基台１と、基台１の後方側に設けられた壁部材２と、壁部材２から基台１の上部側の領域に突設された２段の棚部材１１、１２と、を備えている。
【００２６】
２段の棚部材１１、１２の各々の内部に、壁部材側に開口１３ａ、１４ａを有する冷気通流ダクト１３、１４が形成されている。壁部材２には、２段の棚部材１１、１２の各々の冷気通流ダクト１３、１４の開口１３ａ、１４ａに対応して２段の開口部２ａ、２ｂが設けられている。
【００２７】
図２に示すように、冷気通流ダクト１３、１４の中央領域の高さは、例えば４４ｍｍである。各開口部２ａ、２ｂの高さは、例えば２０ｍｍである。この場合、各開口１３ａ、１４ａの高さは、例えば各開口部２ａ、２ｂに対して上下２５ｍｍずつ移動設置可能であるように７０ｍｍである。
【００２８】
図２に示すように、本実施の形態の各棚部材の冷気通流ダクト１３、１４は、棚部材の下面側に冷気放出部１３ｂ、１４ｂを有しており、当該冷気放出部１３ｂ、１４ｂには、冷気を斜め下方へと案内するガイドフィン１３ｇ、１４ｇが設けられている。ガイドフィン１３ｇ、１４ｇは、水平方向から例えば３５°だけ傾斜した基端部Ｂと、当該基端部Ｂに対して例えば１６０°を形成する先端部Ｔと、からなっており、開口幅Ｗは例えば２８ｍｍである。基端部Ｂと先端部Ｔとの間の角度は、好ましくは１４０°〜１８０°、更に好ましくは１６０°〜１８０°の間で選択されることが好ましい。
【００２９】
その他、本実施の形態の各棚部材は、図２に示すように、棚板１１ｔ、１２ｔと、プライスカード差し１１ｐ、１２ｐと、照明装置１１ｓ、１２ｓと、を有している。本実施の形態では、冷気放出部１３ｂ、１４ｂよりも前方側の下面に、照明装置１１ｓ、１２ｓが設けられている。
【００３０】
図１に戻って、基台１の内部には、冷却器３とファン４とが収容されており、基台１の前方側には、基台１の上部側の領域から基台１の内部へと冷気を通流させる前面側通流口１ａが設けられている。そして、壁部材２の後方側に、基台１の内部と壁部材２の開口部２ａ、２ｂの各々とを連通させる２つの棚部冷気供給ダクト１５、１６が設けられている。
【００３１】
本実施の形態では、２つの棚部冷気供給ダクト１５、１６は互いに分離されており、各棚部冷気供給ダクト１５、１６の寸法は、冷気通流ダクト１３、１４への所望の冷気通流量に応じて決定されている。図３は、図１のオープン型のショーケースの各部の寸法を示す図である。図３に示すように、本実施の形態の棚部冷気供給ダクト１５、１６の並行している領域における幅は、いずれも２５ｍｍとなっている。
【００３２】
図１に戻って、壁部材２の上部には、基台１の上部側の領域に冷気を吹き出すための冷気吹出開口２０が設けられており、壁部材２の後方側には、基台１の内部と壁部材２の冷気吹出開口２０とを連通させる吹出冷気供給ダクト３０が設けられている。本実施の形態では、冷気吹出開口２０は、鉛直方向に４段に設けられた水平方向に延びる水平開口２０ａ〜２０ｄからなっており、吹出冷気供給ダクト３０は、基台１の内部側の一体部３１と、当該一体部３１と４段の水平開口２０ａ〜２０ｄとをそれぞれ連通させる複数の分配部３０ａ〜３０ｄと、を有している。図３に示すように、本実施の形態の水平開口２０ａ〜２０ｄの高さは、それぞれ、例えば１７ｍｍ、１３ｍｍ、１０ｍｍ、２０ｍｍとなっている。
【００３３】
その他、壁部材２の最上部に、天板６と上部照明取付板７とが取り付けられている。本実施の形態の天板６は、透明なガラス製であって（アクリル製やポリカーボネート製でもよい）、従来構成と異なってハニカムと呼ばれる整流機構を含んでいない。
【００３４】
また、図３に示すように、基台１に対する棚部材１２の棚板１２ｔの高さは、例えば２５６ｍｍであり、棚部材１２の棚板１２ｔに対する棚部材１１の棚板１１ｔの高さは、例えば２８０ｍｍである。また、ショーケースの横方向（図１及び図３の紙面に垂直な方向）の長さは、例えば１２００ｍｍ、１５００ｍｍまたは１８００ｍｍであり、基台１の地面からの高さは、例えば６５０ｍｍであり、ショーケース全体の高さは、例えば１３００ｍｍである。
【００３５】
次に、以上のように構成された本実施の形態のオープン型のショーケースの作用について説明する。
【００３６】
ファン３の作用によって前面側通流口１ａから基台１内に取り込まれた空気は、冷却器４によって冷却されて冷気となり、その一部が棚部冷気供給ダクト１５、開口部２ａ、冷気通流ダクト１３を介して、冷気放出部１３ｂから放出される。放出された冷気は、エアーカーテンとして機能し、棚部材１２上に陳列された商品を外気から保護する。
【００３７】
同様に、冷却器４によって冷却された冷気の一部は、棚部冷気供給ダクト１６、開口部２ｂ、冷気通流ダクト１４を介して、冷気放出部１４ｂから放出される。放出された冷気は、エアーカーテンとして機能し、基台１上に陳列された商品を外気から保護する。
【００３８】
更に、冷却器４によって冷却された冷気の一部は、吹出冷気供給ダクト３０の一体部３１と分配部３０ａ〜３０ｄとを介して、冷気吹出開口２０の水平開口２０ａ〜２０ｄから吹き出される。吹き出された冷気は、エアーカーテンとして機能し、棚部材１１上に陳列された商品を外気から保護する。
【００３９】
エアーカーテンとして機能した冷気の多くは、再び前面側通流口１ａから基台１内に取り込まれる（循環する）。
【００４０】
ここで、本実施の形態のショーケースでは、天板６が透明なガラス製であって、ハニカムと呼ばれる整流機構も存在しないため、上段の棚部材１１上に陳列された商品が見にくいという問題が生じない。
【００４１】
以上のように、本実施の形態によれば、２段の棚部材１１、１２の各々の内部に設けられた冷気通流ダクト１３、１４を介して冷気が基台１の上部側の領域に供給される。そして、そのような冷気がエアーカーテンとして機能することにより、壁部材２の上部に冷気吹出開口２０を設けておくだけで（ハニカムと呼ばれる整流機構を用いることなく）、ショーケース全体において外気がショーケース内に混入することを抑制するのに十分なエアーカーテンを提供することができる。
【００４２】
また、本実施の形態によれば、棚部材１１、１２が冷気によって直接的に冷却されるため、外気温が急激に上昇する時などにおいても、棚部材１１、１２上に陳列された商品に対する冷蔵効果を極めて高く維持することができる。
【００４３】
また、本実施の形態によれば、２つの棚部冷気供給ダクト１５、１６が互いに分離されているため、各棚部冷気供給ダクト１５、１６の寸法等を調整することで、各冷気通流ダクト１３、１４の冷気通流量を容易に制御することができる。
【００４４】
また、本実施の形態によれば、冷気放出部１３ｂ、１４ｂに冷気を斜め下方へと案内するガイドフィン１３ｇ、１４ｇが設けられていることにより、冷気を所望のエアーカーテンとして機能させることができる。
【００４５】
また、本実施の形態によれば、冷気放出部１３ｂから放出される冷気によるエアーカーテンは、棚部材１２上に陳列された商品１段だけを外気から保護すればよく、冷気放出部１４ｂから放出される冷気によるエアーカーテンは、基台１上に陳列された商品１段だけを外気から保護すればよく、冷気吹出開口２０から吹き出される冷気によるエアーカーテンは、棚部材１１上に陳列された商品１段だけを外気から保護すればよいため、ファンの駆動効率及び冷却効率に優れる。
【００４６】
なお、本発明は、前記実施の形態に限定されることなく、種々の態様で実施可能である。例えば、図４に示すように、プライスカード差しが無いタイプの棚部材１１’が採用されてもよい。棚部材１１’のその他の構成は、図２を用いて説明した棚部材１１（１２）と略同様である。
【００４７】
あるいは、図５に示すように、冷気放出部１３ｂ”を照明装置１１ｓ”の更に前方側に位置させるべく、冷気供給ダクト１３”の下面に照明装置１１ｓ”が設けられた棚部材１１”が採用されてもよい。棚部材１１”の冷気供給ダクト１３”の中央領域の高さは、例えば３２ｍｍであって、図２に示された棚部材１１（１２）の冷気供給ダクト１３（１４）よりもスリムになっている。また、冷気放出部１３ｂ”のガイドフィン１３ｇ”は、水平方向から例えば１１５°だけ傾斜するように設けられている。棚部材１１”のその他の構成は、図２を用いて説明した棚部材１１（１２）と略同様である。
【符号の説明】
【００４８】
１  基台
１ａ  前面側通流口
２  壁部材
２ａ、２ｂ  開口部
３  冷却ファン
４  冷却器
６  天板
７  上部照明取付板
１１、１２、１１’、１１”  棚部材
１１ｓ、１２ｓ、１１ｓ”  照明装置
１１ｔ、１２ｔ  棚板
１１ｐ、１２ｐ  プライスカード差し
１３、１４、１３”  冷気通流ダクト
１３ａ、１４ａ  開口
１３ｂ、１４ｂ、１３ｂ”  冷気放出部
１３ｇ、１４ｇ、１３ｇ”  ガイドフィン
１５、１６  棚部冷気供給ダクト
２０  冷気吹出開口
２０ａ〜２０ｄ  水平開口
３０  吹出冷気供給ダクト
３０ａ〜３０ｄ  分配部
３１  一体部
【図１】
2017012399.tif 000003
【図２】
2017012399.tif 000004
【図３】
2017012399.tif 000005
【図４】
2017012399.tif 000006
【図５】
2017012399.tif 000007
【図６】
2017012399.tif 000008